(57)【要約】  同じフィールドでの他のカード回路が正常に機能すること、および、ある周波数で電圧を印加することによって電磁界を形成する方法で、カード上のデータが他の者からアクセス可能となることを阻止するために利用される装置である。【選択図】図１
2008504599.tif 000002
【特許請求の範囲】
【請求項１】
本発明は、誘導帯電体に所定の周波数で電圧を印加することによって、疑わしい周波数の下での、他のカード読取機の正常な機能を阻止するものである。
【請求項２】
本発明は、装置が設置されることが可能な場所の近辺への、フェライトコアを有するコイルの配置を特徴とする。
【請求項３】
磁界阻止が実行されるカードのデータに類似しているが信号が実行されるが、コイルの周りから自己反復する。このように、カードからのデータの取り込みが阻止される。
【請求項４】
電磁界をつくるために、本発明は、電子回路、電子回路電力入力（１０）及び調整回線（３）の存在を特徴とする。
【請求項５】
本発明は、オシレータＡ（６）でのデータを破壊するために必要とされる周波数の生成、及び、オシレータＢ（５）での搬送周波数の生成を特徴とする。
【請求項６】
コイルＬｌ（４）または電力入力（１０）が、何かの理由で機能不能になった場合、制御出力（７）は、異常な状況インジケータを示す。
【請求項７】
違法なカード読取機がＡＴＭ装置に設置された場合に、本発明が開始される。本発明は、カード挿入スロット（１４）の下への、コイル（１７）の配置による電磁界の形成を特徴とする。
【請求項８】
コイル（１７）の操作、電磁界による介入が、装置（１２）により発生し、本発明は、周波数と、電源からコイルまで延びる電磁界との形成のためのシステムとして特徴づけられる。
【発明の詳細な説明】
【技術分野】
【０００１】
本発明は、望ましくない人々による、磁気ストライプを有するカードの読み込みの阻止に関する。
【背景技術】
【０００２】
銀行によって所有され且つ銀行の顧客による利用のためにアクセス可能な現金自動預払機（ＡＴＭ）において、悪意を有する一部の人々は、顧客に属する磁気カードのストライプ上の情報を読み取る。その情報の読み取りは、ＡＴＭ装置のカード挿入スロットに差し込み、この情報を記憶し、その後、他のカードへこの情報をコピーする装置（カード読取機）によって行われる。これにより、顧客の口座にアクセスすることが可能となり、このプロセスは気付かれるまで、又は口座が空にされるまで続けられる。
【発明の開示】
【課題を解決するための手段】
【０００３】
我々の発明は、このような状況を阻止するようになされたもので、銀行及び銀行の顧客が損失により苦しむことを阻止するためのものである。
【０００４】
この目的に対して、悪意を有する人々により、現金自動預払機のカード挿入スロットに差し込むことによって固定される電子カードが正確に読みとられ、それゆえに記録されることを防ぐため、すなわち、読取機が読みプロセスを行っている間、確実にエラーを生成するようにするために、この装置が設置可能と思われる場所の近くに、フェライト・コアによるコイルを配置する。そして、カード上のデータと同様であるが自己反復する信号がこのコイルの周囲に形成される。読取機はカード上のデータを正確に読み取ることができないので、記録することができず、悪意を有する人々は、磁気カード上のデータを取り込むことができない。
【発明を実施するための最良の形態】
【０００５】
本発明の目的は、制限された領域において磁気ストライプを有するカードの読み込みを防ぐことである。この目的のために、図１のブロック図が作られる。この目的を達成するために、電磁界が誘導帯電体（４）のまわりで生成されることが必要である。生成されるこの電磁界のために、作られる電子回路は、電力入力（１０）を有する必要があり、この電力入力は、必要な電圧値と同調して調整されなければならない。＋１２Ｖ（２）と＋５Ｖ（３）が、調整回線である。読み取り中にカード読み取り装置によって得られるデータを破壊するために、形成されることが必要な電磁界は、所定の周波数である必要がある。この周波数は、オシレータＡ（６）で得られる。搬送周波数は、オシレータＢ（５）で生成される。それは駆動回線（９）を越えてコイルＬｌ（４）に搬送され、電磁波としてここから広がる。コイルＬｌ（４）がその取り付け位置から取り除かれた場合、このことは、フィードバック（８）パスを通して認識される。制御出力（７）は、異常な状況インジケータとして置かれる。同じ状況が、電力入力（１０）にも適用される。電力入力（１０）が何かの理由で中断される場合、電力回路（１）は動かず、制御出力（７）は異常なステータスを示す。
【０００６】
本装置は、どこでも利用することができるので、実際にＡＴＭで利用されるように設計される。ＡＴＭへの接続を、以下に説明する。
【０００７】
カード読取機（１３）回路は、動作のために必要な電力を、電源（１１）ユニットから得る。カードがカード挿入スロット（１４）に挿入されると、カード読取機（１３）ユニットは、このカード上のデータを読みとって判断し、ＡＴＭのコンピューター（１５）にそれらを通信する。ここまでは問題がない。問題は、他のカード読取機（１６）が、カード挿入スロット（１４）の前におけるＡＴＭ装置の外部表面上に設置されたとき始まる。
【０００８】
カード挿入スロット（１４）に挿入されることが望まれるカードは、違法なカード読取機（１６）中を通ることが必要となるので、カード上のデータ５は、違法なカード読取機（１６）によっても読み取られ且つ記憶される。これは、望ましくない状況である。これを防ぐために、コイル（１７）がカード挿入スロット（１４）の真下に配置される。望ましい方法でのコイルの電磁界の形成が達成される。このコイルの操作プロセスは、装置（１２）によって実行される。装置（１２）は、ＡＴＭ電源（１０）、（１１）から、電力を得て、カード読取ユニット（１３）にも確実に電力を供給する。コイル（１７）または電源（１１）に問題がある場合、カード読取ユニット（１３）は作動せず、カードは、カード挿入スロット（１４）に入ることができない。カードは違法なカード読取機の中を通らないので、データの読み取り、及び記録は実行できない。電源または他の要素で何の問題もない場合、コイル（１７）による電磁界の広がりのために、違法なカード読取機は、読み取りを実行することができず、その結果、中を通るカード上のデータを記録することができない。
【図面の簡単な説明】
【０００９】
【図１】本発明のブロック図である。
【図２】通常のＡＴＭ機械が動作する方法のブロック図である。
【図３】違法なコピー装置の位置を示す図である。
【図４】装置をＡＴＭ機械に接続する方法を示した図である。
【図１】
2008504599.tif 000003
【図２】
2008504599.tif 000004
【図３】
2008504599.tif 000005
【図４】
2008504599.tif 000006
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
磁気カードを読みとるためのカード読取装置を有する、特に現金自動預払機のためのカード読取ユニットであって、
他の違法なカード読取機（１６）の正常な機能を阻止するため、特に、前記他の違法なカード読取機（１６）による磁気カードにおける磁気ストライプ上の情報の読み取りを阻止するための装置（１３）を備えることを特徴とするカード読取ユニット。
【請求項２】
前記他の違法なカード読取機（１６）による前記磁気カードにおける前記磁気ストライプ上の情報の読み込みを阻止するための装置（１３）は、前記磁気カード上のデータと同様な信号を発生させるためのコイル（４）、オシレータ（５、６）及び駆動回線（９）を備えることを特徴とする請求項１に記載のカード読取ユニット。
【請求項３】
磁気カードを読みとるためのカード読取装置を有するカード読取ユニットであって、
他の違法なカード読取機（１６）が磁気カード上のデータを正確に読みとることができない電磁界を作る誘導帯電体を備えることを特徴とするカード読取ユニット。
【請求項４】
磁気カードを読みとるためのカード読取装置を備えるカード読取ユニットであって、
前記カード読取装置が、カード挿入スロット（１４）を備え、更に、前記カード挿入スロット（１４）の前に設置される他の違法なカード読取機（１６）が磁気カード上のデータを正確に読みとることができないように電磁界を広げるコイル（４）を更に備えることを特徴とするカード読取ユニット。
【請求項５】
カード上のデータと同様な信号を前記コイル（４）のまわりに形成することを特徴とする請求項４に記載のカード読取ユニット。
【請求項６】
前記カード上のデータと同様な信号を発生させるための前記コイル（４）、オシレータ（５、６）及び駆動回線（９）を備えることを特徴とする請求項５に記載のカード読取ユニット。
【請求項７】
前記コイル（４）が、カード挿入スロット（１４）の近傍、特に下に置かれることを特徴とする請求項４〜６のいずれか１項に記載のカード読取ユニット。
【請求項８】
違法なカード読取機による磁気カード上における磁気ストライプ上の情報の読み込みを阻止するための装置であって、
カード上のデータと同様な信号を発生させるためのコイル（４）、オシレータ（５、６）及び駆動回線（９）を備えることを特徴とする装置。
【請求項９】
電力入力（１０）、制御装置、および制御出力（７）を備えることを特徴とする請求項１〜８のいずれか１項に記載のカード読取ユニットまたは装置。
【請求項１０】
前記コイル（４）から前記制御装置までのフィードバックパスを備えることを特徴とし、
前記制御出力（７）が、前記コイル（４）がその取り付け位置から取り除かれた場合の、異常な状況のインジケータとして配置されていることを特徴とする請求項９に記載のカード読取ユニット。
【請求項１１】
前記制御出力（７）が、電力が遮断された場合の異常な状況のインジケータとして配置されていることを特徴とする請求項９または１０に記載のカード読取ユニット。
【請求項１２】
磁気カードを読みとるためのカード読取装置を有するカード読取ユニットを備える現金自動預払機であって、
他の違法なカード読取機（１６）の正常な機能を阻止するため、特に、現金自動預払機における、前記他の違法なカード読取機（１６）による磁気カード上における磁気ストライプ上の情報の読み取りを阻止するための装置（１３）を備えることを特徴とする現金自動預払機。
【請求項１３】
請求項２〜１１の少なくとも1つに記載のカード読取ユニットを備えることを特徴とする現金自動預払機。
【請求項１４】
認可されたカード読取ユニットでの、特に、カード上のデータに類似するが自己反復する信号を形成し、前記読み込みプロセス中に確実にエラーを生成することにより、不正なカード読取機による、磁気カード上における磁気ストライプ上の情報の読み込みを阻止するための方法。
【請求項１５】
コイルが、前記不正なカード読取機が置かれることができる位置の近傍に置かれることを特徴とする請求項１４に記載の方法。
【国際調査報告】
2008504599.tif 000007
2008504599.tif 000008